(57)【要約】【課題】高温多湿の環境下にあっても屋内居住空間に快適さをもたらすことができると共に、桜花独特のかぐわしい香りをたたせて心の安らぎを得られるようにすることができる。【解決手段】桜、ポリフェノール、炭、クマリンを必須成分として含み、所定の形状に成形する。これを燃焼させ、加熱によってこれらの成分が拡散するようにする。【選択図】なし 【特許請求の範囲】
【請求項１】
桜、ポリフェノール、炭、クマリンを必須成分として含むことを特徴とする消臭、抗菌用成形品。
【請求項２】
桜が、バラ科（Ｒｏｓａｃｅａｅ）のヤマザクラ（Ｐｒｕｎｕｓ  ｊａｍａｓａｋｕｒａ：Ｐｒｕｎｕｓ属）、ソメイヨシノ（Ｐｒｕｎｕｓ  ｙｅｄｏｅｎｓｉｓ）等を主体とするサクラ属を起源とするもので、それらの１種以上からなるものである請求項１記載の消臭、抗菌用成形品。
【請求項３】
ポリフェノールが、消臭効果、抗菌効果等の空気清浄作用を有する植物を起源とするポリフェノール類である請求項１記載の消臭、抗菌用成形品。
【請求項４】
炭が、木炭、竹炭、活性炭である請求項１記載の消臭、抗菌用成形品。
【請求項５】
クマリンが、クマリン及びクマリンを生成する物質である請求項１記載の消臭、抗菌用成形品。
【請求項６】
桜の全体に対する含有量が、０．１〜２０重量％である請求項１記載の消臭、抗菌用成形品。
【請求項７】
ポリフェノールの全体に対する含有量が、０．０１〜１０重量％である請求項１記載の消臭、抗菌用成形品。
【請求項８】
炭の全体に対する含有量が、１〜６０重量％である請求項１記載の消臭、抗菌用成形品。
【請求項９】
クマリンの全体に対する含有量が、０．０１〜５重量％である請求項１記載の消臭、抗菌用成形品。
【請求項１０】
桜、ポリフェノール、炭、クマリンとに無機物質、糊料、香料、防黴剤、顔料、着色料、溶解剤等を混合し、更に水を加えて均一に練合し，所定の形状に成形してなる消臭、抗菌用成形品の製造方法。
【発明の詳細な説明】
【技術分野】
【０００１】
本発明は桜の葉や樹皮等の天然素材をベースに、天然由来の芳香、抗菌成分を配合し、屋内にて燃焼させることで、室内環境を清浄化し、空気を爽やかにすると共に春の桜花独特のかぐわしい香りをたたせることができるようになした消臭、抗菌用成形品及びその製造方法に関するものである。
【背景技術】
【０００２】
従来、木炭を成分として用い、これに糊料を混合し、水を加えて練合した後成形し、乾燥させて成形品とした線香、お香等の燻蒸物がある。
【０００３】
斯かる従来の燻蒸物の大部分は、一般的な素材の組み合わせに香料を配合して成形したものであり、単に一時的に香りを楽しむためのものである。ところで、毎年のことながら春先からの強風に始まる高温多湿になり易い環境下では屋内居住空間が不快になりがちである。そこで、不快な屋内居住空間を爽やかで快適な状態にしたいと誰しもが願い、このような機能を持った製品の開発が待たれていた。
【発明の開示】
【発明が解決しようとする課題】
【０００４】
本発明は斯かる状況に鑑みてなされたものであって、春先からの高温多湿、強風、多雨が多頻度の環境下にあっても屋内居住空間に快適さをもたらすことができ、加えて桜花独特のかぐわしい香りをたたせて心の安らぎをも得られるようになした消臭、抗菌用成形品及びその製造方法を提供せんとするものである。
【０００５】
そこで、上記消臭、抗菌用成形品を得るべく本発明者らが研究を重ねたところ、桜の葉或いは樹皮はそれらに含まれるフラボノイドが抗菌作用及び消臭作用を有し、また炭は吸着作用、消臭作用、清浄作用、吸湿・放湿作用を、更にポリフェノールは抗菌作用、消臭作用を、またクマリンは抗菌作用を夫々有することから、これらを適宜に組み合わせることにより、その相乗効果で強力な消臭、抗菌作用を期待できること、更に桜の葉や樹皮によって桜花独特の香りを付加させることも可能であることを知見し、本発明を完成するに至ったものである。
【課題を解決するための手段】
【０００６】
而して、本発明に係る消臭、抗菌用成形品は、桜、ポリフェノール、炭、クマリンを必須成分として含むことを特徴とするものである。
【０００７】
また、上記消臭、抗菌用成形品における桜は、バラ科（Ｒｏｓａｃｅａｅ）のヤマザクラ（Ｐｒｕｎｕｓ  ｊａｍａｓａｋｕｒａ：Ｐｒｕｎｕｓ属）、ソメイヨシノ（Ｐｒｕｎｕｓ  ｙｅｄｏｅｎｓｉｓ）等を主体とするサクラ属を起源とするもので、それらの１種以上からなるものである。またこれらは葉又は樹皮を乾燥させて材料とするものである。また、上記消臭、抗菌用成形品における桜の全体に対する含有量は、０．１〜２０重量％であることが望ましい。
【０００８】
また、上記ポリフェノールは、ペパーミント、緑茶、リンゴ、紫蘇、ブルーベリー、ブドウ、甜茶、ウーロン茶、月見草種子、グアバ、ライチ、クランベリー等の消臭、抗菌効果を有する植物を起源とするものである。そしてこれらは粉末又はエキスとして用いるものである。また、上記消臭、抗菌用成形品におけるこれらの全体に対する含有量は、０．０１〜１０重量％であることが望ましい。
【０００９】
また、上記消臭、抗菌用成形品には、所定の割合で炭を配合するが、この炭としては木炭、竹炭、活性炭、黒炭、白炭等のいずれかが用いられる。また、上記消臭、抗菌用成形品におけるこれらの全体に対する含有量は、１〜６０重量％であることが望ましい。
【００１０】
また、上記クマリンは、天然に広く存在し、桜の葉や花にもβ−グルコシル−オルト−クマール酸として存在し、加工中にクマリンへと変化して匂うものであり、単体は無色の結晶である。また、上記消臭、抗菌用成形品におけるこれの全体に対する含有量は、０．０１〜５重量％であることが望ましい。
【００１１】
また、本発明に係る上記消臭、抗菌用成形品の製造方法は、桜、ポリフェノール、炭、クマリンとに無機物質、糊料、香料、防黴剤、顔料、着色料、溶解剤等を混合し、更に水を加えて均一に練合し，所定の形状に成形することを要旨とするものである。
【発明の効果】
【００１２】
本発明に係る消臭、抗菌用成形品は、これに点火して燃焼させ、加熱によりこれに含まれる成分を拡散させて消臭、抗菌作用、吸湿作用を発揮させるものであり、もって屋内の居住空間を爽やかで快適な環境に維持することができるものである。加えて、桜花独特のかぐわしい香りをたたせて心の安らぎを得られるようにすることもできるものである。
【００１３】
また、本発明に係る消臭、抗菌用成形品の製造方法によれば、桜、ポリフェノール、炭、クマリンが有する特性を安定した状態で保持する消臭、抗菌用成形品を製造することができるものである。
【発明を実施するための最良の形態】
【００１４】
本発明に係る消臭、抗菌用成形品は、桜、ポリフェノール、炭、クマリンを必須成分として含み、燃焼させることにより、これらの成分が加熱によって拡散するようにしたものである。
【００１５】
また、本発明に係る上記消臭、抗菌用成形品の製造方法は、桜、ポリフェノール、炭、クマリンとに、無機物質、糊料、香料、防黴剤、顔料、着色料、溶解剤等を混合し、更に水を加えて均一に練合し、所定の形状に成形するものである。
【実施例】
【００１６】
以下、本発明の実施例について説明する。
本発明に係る消臭、抗菌用成形品は、桜、ポリフェノール、炭、クマリンを必須成分として含み、燃焼させることによってこれらの成分が拡散し、もって消臭作用、抗菌作用、吸湿作用等を発揮させるようになしたことを特徴とするものである。
【００１７】
また、本発明に係る製造方法によって製造した消臭、抗菌用成形品によれば、桜、ポリフェノール、炭、クマリンが有する特性を安定した状態で保持させ、空気清浄作用、消臭作用等の機能特性を充分に発揮させることが可能である。
【００１８】
また、上記消臭、抗菌用成形品における桜は、バラ科のヤマザクラ、ソメイヨシノ等であり、これらの新鮮な葉及び／又は樹皮を乾燥させ、これを粉砕し、粉末として用いるものである。葉にはクマリン誘導体のβ−グルコシル−オルト−クマール酸等が含まれ、これは分解してクマリンに変化する。そしてクマリンは桜特有な香りとなる。また、樹皮には、ポリフェノールの一種であるフラバノン誘導体のサクラニン、サクラネチン、グルコゲンカニン等が含まれている。そしてこれらのポリフェノール類には抗菌作用、消臭作用が認められる。
【００１９】
また、炭は、一般に汎用される木炭、竹炭、活性炭、黒炭、白炭等である。これらの特性から空気清浄作用、消臭作用、吸湿・脱湿作用等の作用が生じる。
【００２０】
また、ポリフェノールは、ペパーミントから得られたミントポリフェノール、緑茶のカテキン類、リンゴのポリフェノール類（プロアントシアニジン、カテキン、エピカテキン、クロロゲン酸等）、紫蘇のルテオリン、アピゲニン、クリソエリオール等、ブルーベリーのアントシアニジン、ブドウのオリゴメリックプロアントシアニジン等、甜茶のエラグタン、ウーロン茶のカテキン類、月見草種子の没食子酸、カテキン、プロアントシアニジン、エラグ酸、グアバのエラグ酸、エラグタンニン、プロアントシアニジン、ライチのロイコシアニジン、クランベリーのプロアントシアニジン等であり、これらはいずれも抗菌作用、消臭作用、空気清浄作用を有する。
【００２１】
本発明に係る消臭、抗菌用成形品の機能評価の指標として、４大悪臭の内のアンモニアと硫化水素に対する消臭効果の測定及び室内浮遊細菌への抑制効果を測定した。
そして、この結果から本発明に係る消臭、抗菌用成形品の効果を確認した。
【試験例】
【００２２】
以下、本発明に係る消臭、抗菌用成形品の試験例を示す。
成形品１：
桜の樹皮１ｇ、ミントポリフェノール０．５ｇ、木炭１２ｇ、クマリン０．１ｇ、タブ粉８ｇ、香料、防黴剤等を混合し、更に水を加えて練合し、円柱状に成形した後乾燥させて製造した。
【００２３】
成形品２：
桜の葉３ｇ、緑茶カテキン１．０ｇ、竹炭７ｇ、活性炭１ｇ、クマリン０．５ｇ、タブ粉５ｇ、合成糊料１．２ｇ、香料、防黴剤等を混合し、更に水を加えて練合し、円柱状に成形した後乾燥させて製造した。
【００２４】
対照試料Ａ：
成形品１において桜の樹皮、ミントポリフェノール、炭、クマリンを含まない処方で同様に製造した。
【００２５】
対照試料Ｂ：
市販の線香。
【００２６】
対照試料Ｃ：
市販の線香。
【００２７】
消臭効果の測定：一辺が約６００ｍｍの立方体ボックス内に、悪臭物質溶液の入った容器を３０分間開栓して悪臭物質を拡散させ、濃度を測定した。次いで試料３本を同ボックス内で燃焼させ、燃焼終了３０分後に残存悪臭物質濃度を測定した。両濃度の差から消臭率（％）を測定した。
【００２８】
浮遊微生物の測定：約２０ｍ３  の測定室内の中央に、一般細菌用アガーストリップを装着したエアーサンプラー（ＧＳＩクレオス）を設置する。測定室内空気１６０リットルを吸引した後アガーストリップを取り出し、３７℃で５日間培養して生育菌数をカウントした（ブランク）。次いで成形品及び対照品をそれぞれ１本測定室中央にて燃焼させる。燃焼後３０分後の測定室内の浮遊菌数をブランクと同様に測定した。
ブランクと残存浮遊菌数から試料の燃焼による室内細菌減少率を求めた。
【００２９】
結果は、表１及び表２に示す通りであり、本発明に係る消臭、抗菌用成形品が、４大悪臭への顕著な消臭作用を有し、更に空気中の浮遊微生物の顕著な低減作用を示すことが明らかである。尚、表１は消臭効果測定の測定結果、表２は抗菌効果測定の測定結果である。
【００３０】
【表１】
2005198854.tif 000002
【００３１】
【表２】
2005198854.tif 000003